(57)【要約】【課題】  二枚貝類の稚貝の成長効率を大幅に改善することができ、かつ管理が簡便で、安価な二枚貝類の稚貝用の人工飼料とその製造方法、およびそれを用いた育成方法を提供すること。【解決手段】  スピルリナを含有する微粒子からなり、かつ前記微粒子の平均粒子径が０．５〜１０μｍであることを特徴とする、二枚貝類の稚貝用粉末状飼料。【選択図】  なし【特許請求の範囲】
【請求項１】
スピルリナを含有する微粒子からなり、かつ前記微粒子の平均粒子径が０．５〜１０μｍであることを特徴とする、二枚貝類の稚貝用粉末状飼料。
【請求項２】
前記微粒子が更に増粘剤を含有する微粒子である、請求項１に記載の二枚貝類の稚貝用粉末状飼料。
【請求項３】
前記微粒子が、前記増粘剤として小麦を２０〜８０質量％含有する微粒子である、請求項２に記載の二枚貝類の稚貝用粉末状飼料。
【請求項４】
前記微粒子が、更にスピルリナおよび増粘剤以外の貝類飼料成分を含有する微粒子である、請求項２又は３に記載の二枚貝類の稚貝用粉末状飼料。
【請求項５】
前記スピルリナおよび増粘剤以外の貝類飼料成分が、蛋白質を含有する貝類飼料成分である、請求項４に記載の二枚貝類の稚貝用粉末状飼料。
【請求項６】
前記微粒子が、スピルリナを０．１〜３０質量％含有する微粒子である、請求項１〜５のいずれか１項に記載の二枚貝類の稚貝用粉末状飼料。
【請求項７】
前記微粒子の平均粒子径が１〜５μｍである、請求項６に記載の二枚貝類の稚貝用粉末状飼料。
【請求項８】
スピルリナを含有する貝類飼料原料を、乾燥状態で、平均粒子径０．５〜１０μｍの微粒子からなる粉末状となるまで粉砕することを特徴とする、二枚貝類の稚貝用粉末状飼料の製造方法。
【請求項９】
前記貝類飼料原料が、スピルリナと増粘剤とを含有する貝類飼料原料組成物に水を添加して混練したものである、請求項８に記載の二枚貝類の稚貝用粉末状飼料の製造方法。
【請求項１０】
前記貝類飼料原料が、スピルリナと増粘剤とそれら以外の貝類飼料成分とを含有する貝類飼料原料組成物に水を添加して混練したものである、請求項８に記載の二枚貝類の稚貝用粉末状飼料の製造方法。
【請求項１１】
前記貝類飼料原料が、スピルリナと増粘剤とを含有する貝類飼料原料組成物に水を添加して、加熱下に混練を行ったものであって、かつ、前記増粘剤が澱粉および／またはグルテンを含有する増粘剤である、請求項８に記載の二枚貝類の稚貝用粉末状飼料の製造方法。
【請求項１２】
前記貝類飼料原料を、ジェットミルを用いて粉砕する、請求項８〜１１のいずれか１項に記載の二枚貝類の稚貝用粉末状飼料の製造方法。
【請求項１３】
前記貝類飼料原料を、平均粒子径１〜５μｍの微粒子からなる粉末状となるまで粉砕する、請求項１１に記載の二枚貝類の稚貝用粉末状飼料の製造方法。
【請求項１４】
請求項１〜７のいずれか１項に記載の二枚貝類の稚貝用粉末状飼料を、二枚貝類の稚貝を含む飼育水に添加して、前記二枚貝類の稚貝を育成することを特徴とする、二枚貝類の稚貝の育成方法。
【請求項１５】
前記二枚貝類の稚貝用粉末状飼料を、前記飼育水に、前記二枚貝類の稚貝用粉末状飼料の濃度が１日のうち８時間以上５００〜１０００００個／ｍＬを保つように添加する、請求項１４に記載の二枚貝類の稚貝の育成方法。
【請求項１６】
前記二枚貝類の稚貝がアサリの稚貝である、請求項１４又は１５に記載の二枚貝類の稚貝の育成方法。
【発明の詳細な説明】
【技術分野】
【０００１】
本発明は、二枚貝類の稚貝用粉末状飼料と、二枚貝類の稚貝用粉末状飼料の製造方法、および、二枚貝類の稚貝の育成方法に関し、詳しくは、二枚貝類の稚貝の成長効率を大幅に改善することができ、かつ管理が簡便で、安価な二枚貝類の稚貝用粉末状飼料とその製造方法、およびそれを用いた二枚貝類の稚貝の育成方法に関する。
【背景技術】
【０００２】
従来より、二枚貝類の稚貝の育成方法に関して、各地の水産試験場や栽培漁業センター、および官営あるいは民間の水産研究機関等で生産技術の開発が進められており、現在、例えば、アサリ、ハマグリ、アカガイ、バカガイ、トリガイ、ミルクイガイ、アコヤガイ、クロチョウガイ、シロチョウガイ、ヒオウギガイ、ホタテガイ、ホッキガイ、およびカキなどについては、稚貝の育成が可能となっている。これらの稚貝の育成に使用される飼料の大部分は植物プランクトンであり、例えば、真眼点藻類のナンノクロロプシス、珪藻類のキートセロス、ハプト藻類のパブロバ、プラシノ藻類のテトラセルミス等が広く使用されている。
二枚貝類の稚貝の育成を大規模かつ高密度におこなうためには、上述のような植物プランクトンが大量に必要である。しかしながら、その大量培養には、多大の労力と費用を投入する必要があり、充分な量の育成用飼料が得られていないのが現状である。
また、このような育成用飼料の不足から、稚貝の育成期間が短くなる傾向があり、例えばアサリの場合、稚貝の育成と放流が全国各地でおこなわれているが、放流後の食害を受けにくいとされている殻長１０ｍｍ以上の貝の放流が望まれているのに対し、育成用飼料の不足から実際の放流サイズは殻長２〜３ｍｍにすぎず、食害や波浪による自然減耗が大きくて、放流効果が低いのが現状である。
【０００３】
育成用飼料の不足を改善するため、近年、二枚貝類の稚貝用の人工飼料が開発されている。例えば、特許文献１には、稚貝の育成に必要な栄養素成分（蛋白質又はその加水分解物、脂質、微量成長促進物質、ビタミンおよびミネラルのプレミックス等）および乳化剤を包含したマイクロカプセル化飼料を給与する二枚貝類の稚貝の育成方法が提案されている。また、特許文献２には、二枚貝類の稚貝にも適用できる例として、緑藻植物、紅藻植物および褐藻植物等の海藻類、並びに／又は、全卵、卵黄および卵黄レシチン等の卵類を含有する二枚貝用の飼料およびその育成方法が提案されている。
しかし、これらはいずれも、液状で保存が不便である、あるいは植物プランクトンとの併用が必要である等、人工飼料として不完全なため、広く普及するには至っていない。また、稚貝の生残率が低いなど、稚貝の成長効率が悪いという問題もある。
【特許文献１】特開平６−２３７７０６号公報
【特許文献２】特開平８−１４０５８８号公報
【発明の開示】
【発明が解決しようとする課題】
【０００４】
本発明の目的は、大量培養に多大の労力と費用を要する植物プランクトンや、性能が不完全な人工飼料に代わり、二枚貝類の稚貝の成長効率を大幅に改善することができ、かつ管理が簡便で、安価な二枚貝類の稚貝用の人工飼料とその製造方法、およびそれを用いた育成方法を提供することである。
【課題を解決するための手段】
【０００５】
本発明者らは、上記課題を解決するために鋭意検討をおこなった結果、スピルリナに着目した。そしてスピルリナを含有する微粒子からなり、かつ、微粒子の平均粒子径が０．５〜１０μｍであることを特徴とする二枚貝類の稚貝用の粉末状飼料は、二枚貝類の稚貝の成長効率が高いこと、スピルリナを含有する貝類飼料原料を、乾燥状態で平均粒子径０．５〜１０μｍの微粒子からなる粉末状となるまで粉砕することにより、安価に二枚貝類の稚貝用粉末状飼料を製造することができること、および、二枚貝類の稚貝用粉末状飼料を二枚貝類の稚貝を含む飼育水に添加して、二枚貝類の稚貝を育成することを特徴とする二枚貝類の稚貝の育成方法が、稚貝の成長効率に優れていることを見出し、本発明を完成した。
【０００６】
すなわち、本発明の二枚貝類の稚貝用粉末状飼料は、スピルリナを含有する微粒子からなり、かつ前記微粒子の平均粒子径が０．５〜１０μｍであることを特徴とする。
また、本発明の二枚貝類の稚貝用粉末状飼料の製造方法は、スピルリナを含有する貝類飼料原料を、乾燥状態で、平均粒子径０．５〜１０μｍの微粒子からなる粉末状となるまで粉砕することを特徴とする。
さらに、本発明の二枚貝類の稚貝の育成方法は、前記二枚貝類の稚貝用粉末状飼料を、二枚貝類の稚貝を含む飼育水に添加して、前記二枚貝類の稚貝を育成することを特徴とする。
【発明の効果】
【０００７】
スピルリナを含有する微粒子からなり、かつ、微粒子の平均粒子径が０．５〜１０μｍであることを特徴とする本発明の二枚貝類の稚貝用粉末状飼料は、二枚貝類の稚貝の成長効率を大幅に改善することができ、かつ管理が簡便で、安価である。
また、本発明の二枚貝類の稚貝用粉末状飼料の製造方法は、前記二枚貝類の稚貝用粉末状飼料を、簡便かつ安価に製造できる。
また、本発明の二枚貝類の稚貝の育成方法は、二枚貝類の稚貝の成長効率を大幅に改善することができる。
【発明を実施するための最良の形態】
【０００８】
以下、本発明をさらに詳細に説明する。
＜二枚貝類の稚貝用粉末状飼料＞
本発明の二枚貝類の稚貝用粉末状飼料（以下、本発明飼料ということがある。）は、スピルリナを含有する微粒子からなり、かつ前記微粒子の平均粒子径が０．５〜１０μｍであることを特徴とする。
スピルリナ（Ｓｐｉｒｕｌｉｎａ）は、いわゆる藍藻類のアルスロスピラ属あるいはスピルリナ属に属する原核生物で、アフリカのチャド湖などに自生している。
近年、先進国において栄養と健康への関心が高まっているなかで、スピルリナは、豊富な蛋白質や各種ビタミン、ミネラル、植物性色素等を含み、その消化吸収率も高いことから、打錠するなどによって製剤化され、栄養補助食品として利用されている。
【０００９】
本発明で使用するスピルリナの種類としては、例えば、アルスロスピラ（スピルリナ）・プラテンシス（Ａｒｔｈｒｏｓｐｉｒａ（Ｓｐｉｒｕｌｉｎａ）  ｐｌａｔｅｎｓｉｓ）、アルスロスピラ（スピルリナ）・マキシマ（Ａｒｔｈｒｏｓｐｉｒａ（Ｓｐｉｒｕｌｉｎａ）  ｍａｘｉｍａ）、スピルリナ・サブサルサ（Ｓｐｉｒｕｌｉｎａ  ｓｕｂｓａｌｓａ）、スピルリナ・メジャー（Ｓｐｉｒｕｌｉｎａ  ｍａｊｏｒ）、スピルリナ・ゲイトレリ（Ｓｐｉｒｕｌｉｎａ  ｇｅｉｔｌｅｒｉ）、スピルリナ・サイアミーゼ（Ｓｐｉｒｕｌｉｎａ  ｓｉａｍｅｓｅ）、スピルリナ・プリンセプス（Ｓｐｉｒｕｌｉｎａ  ｐｒｉｎｃｅｐｓ）、スピルリナ・ラキシシマ（Ｓｐｉｒｕｌｉｎａ  ｌａｘｉｓｓｉｍａ）、スピルリナ・クルタ（Ｓｐｉｒｕｌｉｎａ  ｃｕｒｔａ）、スピルリナ・スピルリノイデス（Ｓｐｉｒｕｌｉｎａ  ｓｐｉｒｕｌｉｎｏｉｄｅｓ）等が挙げられ、特に、アルスロスピラ（スピルリナ）・プラテンシス、アルスロスピラ（スピルリナ）・マキシマ、スピルリナ・ゲイトレリ、スピルリナ・サイアミーゼは人工的に培養できるため入手が容易で好ましい。
【００１０】
本発明で使用されるスピルリナは、市販のものを用いても、培養したものを用いてもよい。スピルリナの培養方法としては、藍藻の培養に用いられている通常の方法に従っておこなえばよく、例えば、光源として１０００〜１０万ルクスの光を用い、培養温度を２０〜６５℃、好ましくは３０〜４０℃の間とする等の培養条件とすればよい。また、培地成分としては、リンが１０〜５００ｍｇ／ｌ、窒素が１００〜２０００ｍｇ／ｌ、カリウムが１００〜２０００ｍｇ／ｌおよびその他微量金属塩からなる公知の藍藻用培地を用いることができ、好ましくはＳＯＴ培地を利用する。
【００１１】
前記ＳＯＴ培地は、炭酸水素ナトリウム１６．８ｇ／ｌ、リン酸二カリウム０．５ｇ／ｌ、硝酸ナトリウム２．５ｇ／ｌ、硫酸カリウム１．０ｇ／ｌ、塩化ナトリウム７．０ｇ／ｌ、硫酸マグネシウム０．２ｇ／ｌ、塩化カルシウム０．０４ｇ／ｌ、硫酸第一鉄０．０１ｇ／ｌ、エチレンジアミン四酢酸（ＥＤＴＡ）０．０８ｇ／ｌおよび下記Ａ５溶液１ｍｌ／ｌを含有する培地である。
前記Ａ５溶液は、ホウ酸  ２．８６ｇ／ｌ、塩化マンガン２．５０ｇ／ｌ、硫酸亜鉛０．２２ｇ／ｌ、硫酸銅  ０．０８ｇ／ｌおよびモリブデン酸ナトリウム０．０２ｇ／ｌを含有する溶液である。
培地へのスピルリナの接種量は５００ｍｇ／ｌ以下でよく、上記の培養条件のもとで５〜１０日培養すればよい。また、培養中に、適宜炭酸ガスを吹き込み、溶液中の炭酸イオンの量を増加させることが好ましい。
【００１２】
本発明飼料は、スピルリナを含有する貝類飼料原料から製造される。
貝類飼料原料中のスピルリナの含有率には特に制限がなく、任意に配合される増粘剤や、スピルリナ以外の貝類飼料成分とのバランスで決めればよいが、０．１質量％以上が好ましく、０．１〜３０質量％がより好ましく、１〜２０質量％の範囲内とすることがより好ましい。貝類飼料原料中のスピルリナの含有率が０．１質量％未満の場合、二枚貝類の稚貝の成長効率が劣る傾向にあり、一方３０質量％を超えても二枚貝類の稚貝の成長効率は高くならない。
【００１３】
貝類飼料原料に含有させるスピルリナは、湿藻体であっても、凍結乾燥藻体、スプレー乾燥藻体等の乾燥藻体あるいはその粉末であってもよいが、本発明の二枚貝類の稚貝用粉末状飼料を容易かつ安価に製造できることからスプレー乾燥粉末を用いることが好ましい。
【００１４】
本発明に用いる貝類飼料原料は、スピルリナに加えて更に増粘剤を含有することが好ましい。二枚貝類の稚貝の育成において、飼料を、二枚貝類の稚貝を育成する水（飼育水）に添加すると、スピルリナ成分および他の飼料成分が水中に溶出する現象や、飼料微粒子が崩壊分散して二枚貝類の稚貝の可食範囲を超えて小さくなる現象が生じやすい。このような現象（飼料成分の溶出や飼料の崩壊）は、飼料成分が無駄になるばかりでなく、二枚貝類の稚貝を育成する水を汚すことにつながるので、その発生を防止することが望ましい。増粘剤を添加することにより、これらの現象の発生を防止することができる。
【００１５】
上述のような目的で使用する増粘剤としては、例えば、ペクチン、カラギーナン、グアガム、キサンタンガム、プルラン、アルギン酸、寒天、アラビアガム、デキストリン、澱粉、α化澱粉、キトサン等の天然多糖類、グルテン、ゼラチン、カゼイン等の天然蛋白質、およびこれらの誘導体又は化学合成品であるメチルセルロース、カルボキシメチルセルロース、ポリアクリル酸、ポリビニルアルコール等が挙げられる。これらの増粘剤は、食品又は食品添加物として認められているものなので安心して使用でき、また水中に生息するバクテリア等によって生分解されるので、水を汚染する心配が少ないという利点がある。中でもトウモロコシ類、麦類、米類等の穀物は、澱粉を多く含み、安価でかつ粉砕が容易なため、貝類飼料原料に含有させる増粘剤として好ましい。
【００１６】
穀物の中でも、小麦、ライ麦、大麦、オーツ麦等の麦類は、澱粉と蛋白質であるグルテンとを両方含むので、増粘剤としてだけでなく、後述する任意の成分を兼ねるものとして好適である。
特に小麦は、グルテン含量が高いため好ましい。本発明飼料中、前記微粒子が、増粘剤として小麦を２０〜８０質量％、より好ましくは３０〜７０質量％、さらに好ましくは３５〜６０質量％含有すると、飼料成分の溶出や飼料の崩壊を効果的に防止でき、同時に二枚貝類の稚貝の成長効率を高めることができる。
【００１７】
本発明に用いる貝類飼料原料は、さらに、任意の成分として、スピルリナおよび増粘剤以外の貝類飼料成分を含有してもよい。該任意の成分としては、二枚貝類あるいはその稚貝用の飼料に一般的に配合されている蛋白質、脂質、その他微量な成分を含有させることができる。
蛋白質成分としては、魚粉、大豆粕等の植物性油粕、乳蛋白質およびその部分加水分解物、卵白およびそれらの部分加水分解物等の動物性蛋白質や、全脂大豆粉および精製大豆蛋白等の植物性蛋白質が挙げられる。これらのなかでも、大豆粕は、約５０質量％の蛋白質を含有し、安価でかつ粉砕が容易なため、貝類飼料原料に含有させる蛋白質成分として好ましい。
脂質成分としては、卵黄やレシチン、リゾレシチン、コレステロール、エイコサペンタエン酸やドコサヘキサエン酸等の不飽和脂肪酸、魚油、動物油、植物油等が挙げられる。
その他微量な成分としては、ビタミン混合物、ミネラル混合物、酵母エキス、肝臓エキス、骨粉等が挙げられる。
これらの任意の成分は、飼料製造が容易であることから粉末状であることが好ましく、育成する二枚貝類の稚貝の種類や飼料の形態等に応じて適宜選択し、含有させることができる。
これらのなかでも、特に蛋白質は、稚貝の成長に重要な成分であり、スピルリナや増粘剤だけでは不足しがちなため、本発明飼料中の蛋白質含量が２０〜７０質量％、好ましくは３０〜５０質量％となるよう、前記蛋白質成分を添加することが望ましい。
また、前記増粘剤が任意の成分を兼ねることもでき、特に小麦は、グルテン含量が高く、好ましい。
【００１８】
本発明飼料を構成する微粒子は、平均粒子径０．５〜１０μｍ、好ましくは平均粒子径１〜５μｍの微粒子でなければならない。この平均粒子径が、二枚貝類の稚貝が摂取するのに適した粒径である。
なお平均粒子径とは、水に懸濁分散した飼料１〜２滴をスライドグラスに取ってカバーグラスを被せ、ミクロメーターを装着した顕微鏡で検鏡し、飼料微粒子３００ヶの最大径をミクロメーターで測定した平均をいう。平均粒子径が１０μｍを超えると、粉末状飼料の多くは鰓の作用で飼料が体外に排出され、一方平均粒子径が０．５μｍより小さい微粒子からなる粉末状飼料は大部分が鰓が出す粘液により塊状の偽糞となって、やはり体外に排出されてしまう。
【００１９】
本発明飼料は、例えば下記本発明の二枚貝類の稚貝用粉末状飼料の製造方法により製造することができる。
【００２０】
＜二枚貝類の稚貝用粉末状飼料の製造方法＞
本発明の二枚貝類の稚貝用粉末状飼料の製造方法は、スピルリナを含有する貝類飼料原料を、乾燥状態で、平均粒子径０．５〜１０μｍの微粒子、好ましくは平均粒子径１〜５μｍからなる粉末状となるまで粉砕することを特徴とする。
貝類飼料原料の粉砕は、石臼型粉砕機、ハンマーミル、ボールミル、ジェットミル等の乾式粉砕機でおこなうことができるが、ジェットミルを用いることが、前記の様な平均粒子径の微粒子を容易に得ることができるため好ましい。
【００２１】
本発明において、貝類飼料原料は、上述のように、スピルリナに加えて、増粘剤を含有することが好ましい。貝類飼料原料が増粘剤を含有する場合、貝類飼料原料は、例えば、増粘剤の粉末と、スピルリナの粉末とを均一に混合あるいは分散して貝類飼料原料組成物を調製し、これに水を添加し（加水工程）、これを混練して（混練工程）得ることができる。
加水工程において、水の添加量は、貝類飼料原料組成物１００質量部に対して２０〜１００質量部が好ましく、３０〜７０質量部がより好ましい。
混練工程は、例えばニーダーや押出造粒機等の一般的な手段を用いて行うことができる。
このようにして得られた貝類飼料原料を、流動層乾燥機や振動乾燥機、温風乾燥機等で乾燥して、最後に上述の方法で粉砕することにより、飼料成分の溶出や飼料の崩壊が少ない本発明飼料を製造することができる。
【００２２】
また、本発明において、貝類飼料原料は、上述のように、スピルリナおよび増粘剤に加えて、それら以外の貝類飼料成分、例えば蛋白質成分、脂質成分、その他微量な成分の中から選ばれた１種類以上の任意成分を含有することが好ましい。
この場合、貝類飼料原料は、例えば、予め任意成分の粉末をスピルリナおよび／又は増粘剤の粉末と均一に混合あるいは分散させて貝類飼料原料組成物を調製し、上記と同様に加水工程および混練工程を行うことにより得ることができる。
このようにして得られた貝類飼料原料を、上記と同様にして粉砕することにより、本発明飼料を製造することができる。
【００２３】
また、上記加水および混練工程において、前記貝類飼料原料としてスピルリナと増粘剤とを含有する貝類飼料原料組成物、好ましくはスピルリナと増粘剤とそれら以外の貝類飼料成分とを含有する貝類飼料原料組成物を用い、この貝類飼料原料組成物に水を添加して、加熱下に混練を行うのが、増粘剤のゲル化等が促進され、飼料成分溶出や飼料崩壊の防止効果をさらに高めることができるので好ましい。この時に用いる増粘剤としては、澱粉および／またはグルテンを含有する増粘剤が好ましい。加熱温度は、５０〜１５０℃、好ましくは８０〜１３０℃が、例えば、前記澱粉および／またはグルテンを含有する増粘剤を用いた際には澱粉のα化やグルテンの変性が起こり、飼料成分溶出や飼料崩壊の防止効果を高めることができるので好ましい。加熱時間は１〜２０分が好ましく、２〜１０分がより好ましい。
【００２４】
押出造粒機の一種であるエクストルーダーは、加水・加熱および混練を同時におこなうことができるため、本発明飼料の製造に非常に好適である。例えば、スピルリナを含有する貝類飼料原料の粉末と、小麦粉を均一に混合し、これをエクストルーダーで加熱混練すると、小麦粉中の澱粉をα化し、同時にグルテンを変性させることができる。
この工程はまた、貝類飼料原料の粉末と小麦粉を均一に混合し、その混合粉末に対して水を添加して、手又はニーダー等で混練し、これをオートクレーブで加熱しても実施できる。
【００２５】
増粘剤はまた、スピルリナを含有する貝類飼料成分からなる微粒子をマイクロカプセル化等の方法により被覆する被覆剤としても使用することができ、被覆後に湿熱条件で加熱すると、増粘剤のゲル化等を促進することができる。
【００２６】
＜二枚貝類の稚貝の育成方法＞
本発明の二枚貝類の稚貝の育成方法は、上記本発明飼料を、二枚貝類の稚貝を含む飼育水に添加して、前記二枚貝類の稚貝を育成することを特徴とする。
なお、本発明でいう二枚貝類とは、海産のアサリ、ハマグリ、淡水産のドブガイ、イケチョウガイ等の、餌料摂取と呼吸のための水管という器官を備えた二枚貝類と、ホタテガイ、アコヤガイ、クロチョウガイ、シロチョウガイ等の、水管を備えていない二枚貝類、および水管の発達程度が低いアカガイやカワシンジュガイ等の二枚貝類、等を指す。
また、本発明でいう稚貝とは、幼生プランクトンが着底した時から、貝殻の大きさが一般的な成貝の半分以下であるものまでを指し、例えばアサリの場合は、貝殻の直径の最大値（以下殻長という）が約０．５〜１０ｍｍのものを指す。
また、本発明において、飼育水としては、育成する二枚貝類の稚貝の種類に応じて、一般的に二枚貝類の育成に用いられている水、例えば河川、湖等から採取された淡水や、海水等が使用できる。
【００２７】
本発明飼料の添加は、例えば、二枚貝類の稚貝を含む水（飼育水）に、本発明飼料を粉末のまま又は予め少量の水に懸濁分散させたものを、連続的にあるいは１日数回に分けて散布あるいは滴下して給餌することにより行うことができる。
また、本発明飼料の二枚貝類の稚貝への給餌方法は、特に制限がないが、飼育水中の餌濃度がトーマ式血球計算板等を用いて顕微鏡下で計数した時に、５００〜１０００００個／ｍＬ、好ましくは１０００〜５００００個／ｍＬ、より好ましくは５０００〜２５０００個／ｍＬを維持するよう、二枚貝類の稚貝の摂餌量に応じて給餌量を適宜調整するのが、二枚貝類の稚貝の育成効率が良好で、かつ、残餌による水質悪化が生じにくいので好ましい。本発明においては、上述した飼育水中の餌濃度を、一日あたり、好ましくは８時間以上、より好ましくは１２時間以上、さらに好ましくは２４時間保つように本発明飼料を添加することが好ましい。
【実施例】
【００２８】
以下、実施例及び比較例を用いて本発明をさらに詳細に説明するが、これらの実施例は本発明を制限するものではない。
製造例１
アルスロスピラ（スピルリナ）・プラテンシスのスプレー乾燥粉末１０ｇと、小麦粉３７ｇ、大豆粕５０ｇ、およびビタミン混合粉末として（株）科学飼料研究所の「ニュー養魚用ビタミン１ｇをポリ袋に入れて、小麦粉の塊が見えなくなるまで手混合した。これに水５０ｍＬを加えて固い団子状になるまで手混合し、水分が全体に行き渡るまで３０分間静置後、粘土状になって表面に光沢がでるまで手で固練りした。２０分間静置後にポリ袋から取り出して、直径約２ｃｍのせんべい状に千切り、これを濡れタオルを敷いた篩に並べて更に濡れタオルを被せ、オートクレーブ（平山製作所ＨＡ−３０型）に入れて０．５気圧１１０℃で５分間蒸した。室温まで冷却後、凍結乾燥機（ＵＬＶＡＣ社ＤＦ−０１Ｈ型）で凍結乾燥し、乾燥物を石臼型粉砕機（ウエスト社ミクロパウダーＭＰＷ−Ｇ０１０型）で粗粉砕して、平均粒子径２０μｍの比較飼料Ａ８２ｇを得た。
次いで、比較飼料Ａのうち５０ｇを、セイシン企業Ａ−Ｏ型ジェットミルを用いて、圧縮空気圧力０．７ＭＰａ、サンプルフィード量１ｇ／分で微粉砕し、平均粒子径２．５μｍの試験飼料Ｂ３１ｇを得た。
【００２９】
製造例２
アルスロスピラ（スピルリナ）・プラテンシスのスプレー乾燥粉末５０ｇと、小麦粉５０ｇを用いて、試験飼料Ｂと同じ製造方法により、微粉砕された試験飼料Ｃ３５ｇ（平均粒子径２．５μｍ）を得た。
【００３０】
製造例３
アルスロスピラ（スピルリナ）・プラテンシスのスプレー乾燥粉末５０ｇを直接ジェットミルで微粉砕して、試験飼料Ｄ３３ｇ（平均粒子径２．５μｍ）を得た。
【００３１】
製造例４
昆布からなる海藻粉末５０ｇを直接ジェットミルで微粉砕して、比較飼料Ｅ３３ｇ（平均粒子径２．５μｍ）を得た。
【００３２】
製造例５
ハプト藻類の植物プランクトンであるパブロバ・ルテリ（Ｐａｖｌｏｖａ  ｌｕｔｈｅｒｉ）を、蒸留水１０００ｍｌに硫酸アンモニウム１００ｇ、尿素１０ｇ、リン酸２カリウム７ｇ、クレラット３２（帝国化学社製のキレート剤）５ｇを溶解した培養液を滅菌海水に対して容量比で１：１０００の割合で添加した培地を用いて、２０℃、培養面の照度５０００ｌｕｘで約２週間培養し、パブロバ・ルテリを含む培養液を得た。これを植物プランクトン飼料とした。
【００３３】
参考試験（平均粒子径２０μｍの飼料および植物プランクトン飼料でのアサリ稚貝育成）
孔径０．４５μｍのカートリッジフィルターで濾過した海水（以下濾過海水という）１０Ｌが入ったガラス水槽２槽に、受精２ヶ月後のアサリ稚貝各３０個体を収容した。各水槽のアサリ稚貝殻長の中央値は、１．３３および１．３６ｍｍであった。
一方の水槽には植物プランクトン飼料を、他方の水槽には比較飼料Ａを、いずれも海水中の餌密度が１００００個／ｍＬとなるよう１日３回９時、１５時、２１時に給餌し、３０日間育成した。海水はエアーストーンで弱く通気して緩やかに攪拌し、温度は２２℃、塩分は３４ＰＳＵ、ｐＨは７．８〜７．９、溶存酸素は６〜７ｍｇ／Ｌに保ち、毎日２２時に濾過海水で全量換水した。なお、実際の試験期間中におけるパブロバ区の餌密度は、常に１００００〜５００００個／ｍＬ、比較飼料Ａ区は常に３０００〜１３０００個／ｍＬであった。
【００３４】
結果は、表１に示した通り、植物プランクトン飼料を給餌した水槽（パブロバ区）のアサリ稚貝の殻長は２．８７ｍｍ成長したのに対して、比較飼料Ａを給餌した水槽（比較飼料Ａ区）のアサリ稚貝の殻長は０．５２ｍｍしか成長しなかった。すなわち、パブロバ区の成長率を１００％とした場合の比較飼料Ａ区の相対成長率は１８％と低く、生残率も若干低かった。
【００３５】
【表１】
2005102604.tif 000002
【００３６】
試験例１
濾過海水１Ｌが入ったガラス水槽５槽に、受精５ヶ月後のアサリ稚貝各２０個体を収容した。各水槽のアサリ稚貝殻長の中央値は、４．２５〜４．３３ｍｍであった。
各水槽に、植物プランクトン飼料、試験飼料Ｂ、試験飼料Ｃ、試験飼料Ｄ、および比較飼料Ｂを、いずれも海水中の餌密度が１００００個／ｍＬとなるよう１日４回９時、１２時、１５時、１８時に給餌し、４０日間育成した。海水の温度は２１〜２２℃、塩分は３４〜３５ＰＳＵ（実用塩分単位）、ｐＨは７．８〜８．０、溶存酸素はエアーストーン通気により５〜７ｍｇ／Ｌに保ち、毎日２１時に濾過海水で全量換水した。なお、実際の試験期間中における、植物プランクトン飼料を給餌した水槽（パブロバ区）の餌密度は、常に７５００〜２１０００個／ｍＬ、その他の飼料４区は常に６０００〜１５０００個／ｍＬであった。
【００３７】
結果は、表２に示した通り、本発明飼料である試験飼料Ｂ、試験飼料Ｃ、および試験飼料Ｄの各区は、スピルリナを含有しない比較飼料Ｅより高い成長率を示し、かつ生残率も９５％以上と高かった。特に、スピルリナと増粘剤である小麦粉、および蛋白質成分である大豆粕を含有してなる微粒子である試験飼料Ｂ区は、貝類飼料原料の配合割合が比較飼料Ａとまったく同じであるにも係わらず、微粉化しただけでパブロバ区にほぼ匹敵する相対成長率８１％と同等以上の生残率を示した。
【００３８】
【表２】
2005102604.tif 000003